(57)【要約】【課題】簡単な構成にして製品コストのいたずらな増大を回避しながら誤操作を避けたいスイッチ類への誤操作を確実に阻止し得るようにする。【解決手段】操作者の左右の掌による左右方向からの掌握を可能にする任意形状の平板状に形成される本体１の操作面１ａにスイッチＳＷ１，ＳＷ２，ＳＷ３，ＳＷ４およびダイヤルＤ１を有してなるコントローラにおいて、スイッチＳＷ１，ＳＷ２，ＳＷ３，ＳＷ４が本体１の両側に位置決められる操作者の左右の掌から延びる指が届く範囲内となる操作面１ａの左方部および右方部にそれぞれ複数配在されてなる一方で、操作面１ａの左方部あるいは右方部のいずれか一方部に特定のスイッチＳＷ４が配在されると共に、操作面１ａの左方部あるいは右方部のいずれか他方部に特定のスイッチＳＷ４と連動する別のスイッチＳＷ２が配在され、もしくは、操作面１ａに特定のスイッチｓＷ４と連動するダイヤルＤ１が配在されてなる。【選択図】図１
2007104298.tif 000002
【特許請求の範囲】
【請求項１】
操作者の左右の掌による左右方向からの掌握を可能にする任意形状の平板状に形成される本体の操作面にスイッチおよびダイヤルを有してなるコントローラにおいて、スイッチが本体の両側に位置決められる操作者の左右の掌から延びる指が届く範囲内となる操作面の左方部および右方部にそれぞれ複数配在されてなる一方で、操作面の左方部あるいは右方部のいずれか一方部に特定のスイッチが配在されると共に、操作面の左方部あるいは右方部のいずれか他方部に特定のスイッチと連動する別のスイッチが配在され、もしくは、操作面に特定のスイッチと連動するダイヤルが配在されてなることを特徴とするコントローラ
【請求項２】
操作者の左右の掌による左右方向からの掌握を可能にする任意形状の平板状に形成されるコントローラにおける本体の操作面に配在される複数のスイッチが本体の両側に位置決められる操作者の左右の掌から延びる指が届く範囲内となる操作面の左方部および右方部にそれぞれ複数配在されてなる一方で、操作面の左方部あるいは右方部のいずれか一方部に配在の特定のスイッチにおけるオン操作が操作面の左方部あるいは右方部のいずれか他方部に配在の別のスイッチにおけるオン操作に連動され、もしくは、特定のスイッチにおけるオン操作が操作面に配在のダイヤルにおけるオン操作に連動されてなることを特徴とするコントローラにおけるスイッチの操作方法
【発明の詳細な説明】
【技術分野】
【０００１】
この発明は、コントローラおよびコントローラにおけるスイッチの操作方法に関し、特に、複数のスイッチやダイヤルを有するコントローラの改良、および、この複数のスイッチやダイヤルを有するコントローラにおけるスイッチの操作方法の改良に関する。
【背景技術】
【０００２】
たとえば、コンクリートミキサー車に搭載のミキサードラムにおける回転を制御するためなどに、複数のスイッチやダイヤルを有するコントローラが利用されるが、この種のコントローラにあっては、ダイヤルやスイッチをオン操作すると直ちに動作が起きるように構成されているのが常態である。
【０００３】
そのためか、コントローラを利用する操作者が操作すべきスイッチやダイヤルの選択を誤ること、すなわち、誤操作が招来され易いことが周知されており、また、誤操作によって予期せぬ動作が起きて慌てることも経験側の示すところである。
【０００４】
そこで、たとえば、特許文献１には、複数のスイッチを有するコントローラに相当するハンドセットがスライド自在に設けられたカバーを有してなるとする提案が開示されている。
【０００５】
それゆえ、この特許文献１に開示の提案によれば、カバーがスイッチに相当するテンキーを覆うように構成されてなるとするから、不要時にカバーでテンキーを覆うようにすることによって、いわゆる意味なくテンキーを押すなどの誤操作を回避できることになる。
【特許文献１】実開平５‐４６１３５号公報（特許請求の範囲  請求項１，請求項２，請求項３，請求項４，明細書中の段落０００５，同０００６，同００１２，図１，図２，図３）
【発明の開示】
【発明が解決しようとする課題】
【０００６】
しかしながら、上記した特許文献１に開示の提案にあって、カバーが全部のテンキーを覆うように形成されてなる場合には、単一のテンキーのみに対する誤操作を回避したいときにも全部のテンキーが覆われることになり、そのため、他のテンキーの操作を要するときにはカバーを全面的に退避させることになり、本来の誤操作を回避できなくする危惧がある。
【０００７】
一方、上記した特許文献１に開示の提案にあって、カバーが一部のテンキーを覆うように形成される場合にも、スライドするカバーの配在は言わば大袈裟な構成が採用されることになり、部品点数や組立工数の増大によっていたずらな製品コストの増大を招くことになる不具合がある。
【０００８】
この発明は、このような現状を鑑みて創案されたものであって、その目的とするところは、誤操作を避けたい特定のスイッチへの誤操作を確実に阻止し得るようにして、その汎用性の向上を期待するのに最適となるコントローラを提供することである。
【課題を解決するための手段】
【０００９】
上記した目的を達成するために、この発明によるコントローラの構成を、操作者の左右の掌による左右方向からの掌握を可能にする任意形状の平板状に形成される本体の操作面にスイッチおよびダイヤルを有してなるコントローラにおいて、スイッチが本体の両側に位置決められる操作者の左右の掌から延びる指が届く範囲内となる操作面の左方部および右方部にそれぞれ複数配在されてなる一方で、操作面の左方部あるいは右方部のいずれか一方部に特定のスイッチが配在されると共に、操作面の左方部あるいは右方部のいずれか他方部に特定のスイッチと連動する別のスイッチが配在され、もしくは、操作面に特定のスイッチと連動するダイヤルが配在されてなるとする。
【００１０】
また、この発明によるコントローラにおけるスイッチの操作方法の構成を、操作者の左右の掌による左右方向からの掌握を可能にする任意形状の平板状に形成されるコントローラにおける本体の操作面に配在される複数のスイッチが本体の両側に位置決められる操作者の左右の掌から延びる指が届く範囲内となる操作面の左方部および右方部にそれぞれ複数配在されてなる一方で、操作面の左方部あるいは右方部のいずれか一方部に配在の特定のスイッチにおけるオン操作が操作面の左方部あるいは右方部のいずれか他方部に配在の別のスイッチにおけるオン操作に連動され、もしくは、特定のスイッチにおけるオン操作が操作面に配在のダイヤルにおけるオン操作に連動されてなるとする。
【発明の効果】
【００１１】
それゆえ、この発明によるコントローラにあっては、操作面における左右部のいずれか一方に配在の特定のスイッチをオン操作してこの特定のスイッチのオン操作による所定の動作を実現するとき、いわゆる反対側にある他のスイッチをオン操作することが必須になり、特定のスイッチが単独でオン操作されても、所定の動作を実現し得ない、すなわち、誤操作による動作の発現があり得ないことになる。
【００１２】
また、この発明によるコントローラにおけるスイッチの操作方法にあっては、操作面における左右部のいずれか一方に配在の特定のスイッチをオン操作すると共に、いわゆる反対側にある他のスイッチをオン操作することで、特定のスイッチのオン操作によって実現される所定の動作が実現されることになるから、特定のスイッチのみが単独でオン操作されても、所定の動作を実現し得ない、すなわち、誤操作があっても、所定の動作が実現されないことになる。
【００１３】
その結果、この発明によれば、誤操作を避けたい特定のスイッチに対する誤操作を機械的に招来させずして、所望の制御を確実に実現でき、その汎用性の向上を期待するのに最適となるとなる。
【発明を実施するための最良の形態】
【００１４】
以下に、図示した実施形態に基づいて、この発明によるコントローラの説明をしながらこの発明によるコントローラにおけるスイッチの操作方法についても説明する。
【００１５】
ちなみに、図１に示すコントローラは、コンクリートミキサー車に搭載のミキサードラムにおける回転を制御し、また、ミキサードラム内に収容されているコンクリート（以下、生コンと略称する）を全排出していわゆる空になったミキサードラムを洗浄するためのものであり、そして、このコントローラは、操作者がミキサードラムの周辺で操作するのに便利なように無線構造で携帯型に形成されてなるとしている。
【００１６】
また、このコントローラは、基本的には、本体１が任意形状の平板状に形成されるとするもので、この本体１の大きさは、無線構造で携帯に便利なコントローラとされる性質上、多くの場合に、操作者の左右の掌による左右方向からの掌握を可能にする大きさに設定されるであろう。
【００１７】
ちなみに、本体１において、これを平面的に看るとき、図中で上方の左右の角部にあっては、たとえば、ここに隣接される操作者の指に馴染み易いように側面が円弧状に形成されてなるとしている。
【００１８】
そして、このとき、図示するところにあっては、この角部に副えられた指がいわゆる滑って、本体１の上面たる操作面１ａ上に侵入してくることを阻止する円弧状のガード部１ｂが形成されてなるとしている。
【００１９】
なお、図示するコントローラにあっては、本体１の図中で下方となる両方の角部は、軸１１を有するベルト通し部１ｃとされていて、この本体１をベルトに保持させることで、このコントローラの手放しの携帯を可能にするようにしている。
【００２０】
ところで、凡そこの種のコントローラがそうであるように、この発明によるコントローラにあっても、本体１の操作面１ａには、複数のスイッチとダイヤルを有してなるとしている。
【００２１】
少し説明すると、この発明によるコントローラは、この実施形態では、コンクリートミキサー車に搭載のミキサードラムにおける回転を制御すると共に、生コンを全排出していわゆる空になったミキサードラム内を洗浄するときに利用するとされていることから、起動スイッチＳＷ１と、非常停止スイッチＳＷ２と、自動混練スイッチＳＷ３と、自動洗浄スイッチＳＷ４とを有してなると共に、メインダイヤルＤ１を有してなり、さらには、電源ランプＬ１と、低電圧ランプＬ２と、充電ランプＬ３とを有してなるとしている。
【００２２】
このとき、各スイッチＳＷ１，ＳＷ２，ＳＷ３，ＳＷ４は、操作面１ａに上方に向けて突設される突出部１ｄの軸芯部に形成の凹部１ｅに配在されるプッシュ型のボタンからなるとし、いわゆるボタンを押すようにする操作でオン操作されるとしている。
【００２３】
ちなみに、起動スイッチＳＷ１は、ミキサードラムの回転やミキサードラムの洗浄などの諸操作を行うときにオン操作されるもので、このとき、電源が入っていることを電源ランプＬ１の点灯で確認し得るとしている。
【００２４】
なお、低電圧ランプＬ２は、このコントローラの使用電源が不足することを警告するときに点灯し、充電ランプＬ３は、このコントローラの充電中にこれを点灯表示する。
【００２５】
非常停止スイッチＳＷ２は、緊急時にミキサードラムの回転を停止させるためのオン操作されるもので、平常時にミキサードラムの回転を停止させるのは、後述するメインダイヤルＤ１の回動操作による。
【００２６】
自動混練スイッチＳＷ３は、ミキサードラムの高速回転を実現する場合にオン操作されるもので、主に、排出前のミキサードラム内の生コンにおける品質を向上させるためにミキサードラムを高速回転させる。
【００２７】
自動洗浄スイッチＳＷ４は、生コンを全排出したミキサードラム内に付着した生コンの言わば残り滓を洗浄水で洗浄する場合にオン操作されるもので、このとき、ミキサードラムは、高速回転されるが、ミキサードラム内から生コンが全排出されていない内には、絶対的にオン操作されてはならないとされている。
【００２８】
ちなみに、この自動洗浄スイッチＳＷ４がこの発明において特定のスイッチとされることから、上記した起動スイッチＳＷ１，非常停止スイッチＳＷ２および自動混練スイッチＳＷ３乃いずれか一つがこの発明において別のスイッチとされるとしている。
【００２９】
メインダイヤルＤ１は、たとえば、時計方向に回動することで、ミキサードラムの投入方向への回転、すなわち、生コンをミキサードラム内に収容する方向への回転およびその回転速度を回転角度に依存して速くするように制御するもので、図示する回動開始前の状態では、ミキサードラムを回転し得ない設定とされている。
【００３０】
なお、上記のメインダイヤルＤ１がこの発明における特定のスイッチたる自動洗浄スイッチＳＷ４と連動される別のダイヤルとされるとしている。
【００３１】
ところで、上記の各スイッチＳＷ１，ＳＷ２，ＳＷ３，ＳＷ４は、本体１の両側に位置決められる操作者の掌から延びる指が届く範囲内に複数、すなわち、図示するところでは、本体１の操作面１ａにおける左方部にスイッチＳＷ１，ＳＷ２が、および、本体１の操作面１ａにおける右方部にスイッチＳＷ３，ＳＷ４が、それぞれ二個づつ配在されてなるとしている。
【００３２】
そして、このいわゆる左右に二個づつ配在されるスイッチのうち、作法部の二つのスイッチたる起動す一意ＳＷ１および非常停止スイッチＳＷ２は、ミキサードラムの回転に直接関与するスイッチであり、右方部の二つのスイッチたる自動混練スイッチＳ３および自動洗浄スイッチＳＷ４は、ミキサードラムの回転には直接関与しないスイッチであるとしている。
【００３３】
このように設定することで、この発明において、自動洗浄スイッチＳＷ４に連動する別のスイッチが自動洗浄スイッチＳＷ４と同じ右方部に配在されて、いわゆる操作し辛くなることを回避し、あるいは、誤って違うスイッチを操作するなどの不具合の招来を回避することが一層保障されることになる。
【００３４】
その一方で、この発明にあっては、操作面１ａの左方部あるいは右方部のいずれか一方部に特定のスイッチが配在されるとし、図示するところでは、操作面１ａの右方部に配在の自動洗浄スイッチＳ４がこれに相当し、操作面１ａの左方部あるいは右方部のいずれか他方部に特定のスイッチと連動する別のスイッチが配在されるとし、図示するところでは、操作面１ａの左方部に配在の起動スイッチＳＷ１あるいは非常停止スイッチＳＷ２がこれに相当するとしている。
【００３５】
ちなみに、この起動スイッチＳＷ１および非常停止スイッチＳＷ２は、ミキサードラムの回転に関与するものであるから、この発明に言う別のスイッチに該当するとしているが、このミキサードラムの回転に関与するものとの観点からすれば、この起動スイッチＳＷ１および非常停止スイッチＳＷ２に代えて、図示するところでは、操作面１ａの中央部に配在されているメインダイヤルＤ１が特定のスイッチと連動する別のスイッチならぬダイヤルとされるとしても良いことになる。
【００３６】
このように、特定のスイッチたる自動洗浄スイッチＳＷ４をオン操作するときには、別のスイッチたる起動スイッチＳＷ１あるいは非常停止スイッチＳＷ２、さらには、メインダイヤルＤ１のいずれかのオン操作と連動するように構成されることで、自動洗浄スイッチＳＷ４が誤操作でオン操作されるとしても、自動洗浄装置が起動せず、ミキサードラム内のコンクリートにいわば余分な水が加えられるような不具合の招来を確実に回避することが可能になる。
【００３７】
ところで、上記のように、特定のスイッチたる自動洗浄スイッチＳＷ４のオン操作時に別のスイッチたる起動スイッチＳＷ１あるいは非常停止スイッチＳＷ２、さらには、メインダイヤルＤ１のいずれかのオン操作を連動させるとする場合に、具体的には様々なスイッチの操作方法を提案し得ることになる。
【００３８】
そこで、このスイッチの操作方法の代表的な構成について、図２に基づいて、少し説明すると、先ず、スタートは、特定のスイッチたる自動洗浄スイッチＳＷ１をオン操作すること（Ｓ１）でつぎのステップに進む。
【００３９】
このとき、自動洗浄スイッチＳＷ４のオン操作は、いわゆる瞬間的に押す動作でなく、いわゆる長押し動作で実践されるとし、これによって、操作者に自動洗浄スイッチＳＷ４をオン操作する意思があることを確認できると共に、過失や不用意によるオン操作たる誤操作と積極的に区別することが可能になる。
【００４０】
つぎに、ミキサードラムの回転が停止されているか否かが問われ（Ｓ２）、このとき、ミキサードラムが回転中なら自動洗浄しない方向に指令がなされ、ミキサードラムの回転が停止されているときつぎのステップに進む。
【００４１】
これは、前述したように、ミキサードラムが回転しているときには、ミキサードラム内にコンクリートがある場合もあり、少なくともミキサードラムの回転中は絶対的に自動洗浄装置が稼動してはならにことに基づく。
【００４２】
つぎのステップでは、別のスイッチたる、たとえば、非常停止スイッチＳＷ２をオン操作するが、このときには、別のスイッチが長押しされているか否かすなわち、タイマーなどで設定されている一定の時間内をオン操作し続けられているか否を判断基準にする（Ｓ３）。
【００４３】
このとき、別のスイッチたる非常停止スイッチＳＷ２が一定時間をオン操作されないときには、自動洗浄しない方向に指令がなされるが、このことで、最初に自動洗浄スイッチＳＷ４をオン操作したことが確信操作であることを意味し、過失操作などのいわゆる誤操作ではないことを意味することになる。
【００４４】
そして、上記の別のスイッチが一定時間オン操作されるとしても、これが自動洗浄スイッチＳＷ４のオン操作の継続中であるかどうかが判断され（Ｓ４）、これによって、すなわち、特定のスイッチと別のスイッチが同時に継続してオン操作されることが自動洗浄の実践を意図していることの現われとなり、自動洗浄が開始されることになる。
【００４５】
ちなみに、この自動洗浄スイッチＳＷ４と別のスイッチのオン操作についてだが、上記した同時に代えて、別のスイッチに対するオン操作には若干のタイムラグをもたせるとしても良いことはもちろんであり、この場合にも、若干のタイムラグを持っても自動洗浄の意思があることを確認し得ることになる。
【００４６】
以上の動作で自動洗浄スイッチＳＷ４が最終的にオン操作されて、自動洗浄装置が稼動することになるが、上記したところを基本にして、以下のような変更も可能になると言い得る。
【００４７】
まず、別のスイッチは、上記の非常停止スイッチＳＷ２に代えて、起動スイッチＳＷ１とされるとし、あるいは、メインダイヤルＤ１とされるとしても良く、また、このメインダイヤルＤ１に代えて、切換ダイヤルＤ２とされるとしても良い。
【００４８】
また、いわゆる別のスイッチを既存のスイッチやダイヤルの他に設けて、しかも、図示しないが、この別のスイッチを本体１の操作面１ａの反対側面となる本体１の裏面に配在し、この別のスイッチを操作するについては、いわゆる面倒さが伴うようにして、その分、誤操作を避けるようにするとしても良いと言い得る。
【００４９】
前記したところでは、コントローラが無線構造とされて携帯型に設定されてなるとしたが、この発明が意図するところからすれば、コントローラが有線構造とされて、たとえば、コンクリートミキサー車の運転席から延長されるリード線に接続されてなるとしても良いことはもちろんである。
【図面の簡単な説明】
【００５０】
【図１】この発明によるコントローラを示す平面図である。
【図２】図１に示すコントローラによるスイッチの一操作方法を示すフローである。
【符号の説明】
【００５１】
１  本体
１ａ  操作面
Ｄ１  ダイヤルたるメインダイヤル
ＳＷ１  スイッチたる起動スイッチ
ＳＷ２  スイッチたる非常停止スイッチ
ＳＷ３  スイッチたる自動混練スイッチ
ＳＷ４  スイッチたる自動洗浄スイッチ
【図１】
2007104298.tif 000003
【図２】
2007104298.tif 000004